(57)【要約】【課題】仕切棒を正しい位置に容易に架け渡すことが可能であって、利便性に優れたショーケースを提案する。【解決手段】ショーケース１は、商品陳列室２を有する本体５と、商品陳列室２内に設けられる商品陳列棚６と、を備えている。商品陳列棚６は、棚板４２の前縁に沿って設けられ、かつ複数の前仕切棒支持孔５５を有する前仕切棒支持部４５と、棚板４２の後縁に沿って設けられ、かつ複数の後仕切棒支持孔５６を有する後仕切棒支持部４６と、前仕切棒支持部４５と後仕切棒支持部４６との間に架設されて棚板４２上に陳列商品を整列させる仕切棒４８と、複数の前仕切棒支持孔５５および複数の後仕切棒支持孔５６から仕切棒４８を架設するために対をなす前仕切棒支持孔５５と後仕切棒支持孔５６との組み合わせを識別可能な標識部７５と、を備えている。【選択図】  図５
2020137623.tif 000002
【特許請求の範囲】
【請求項１】
正面が開放された商品陳列室を有する本体と、
前記商品陳列室内に設けられる商品陳列棚と、を備え、
前記商品陳列棚は、
棚板と、
前記棚板の前縁に沿って設けられ、かつ複数の前仕切棒支持孔を有する前仕切棒支持部と、
前記棚板の後縁に沿って設けられ、かつ複数の後仕切棒支持孔を有する後仕切棒支持部と、
前記前仕切棒支持孔に挿抜可能な前端部と、前記後仕切棒支持孔に挿抜可能な後端部と、を有し、前記前仕切棒支持部と前記後仕切棒支持部との間に架設されて前記棚板上に陳列商品を整列させる仕切棒と、
前記複数の前仕切棒支持孔および前記複数の後仕切棒支持孔から前記仕切棒を架設するために対をなす前記前仕切棒支持孔と前記後仕切棒支持孔との組み合わせを識別可能な標識部と、を備えるショーケース。
【請求項２】
前記標識部は、前記組み合わせ毎に所定の順序で繰り返す複数の非空白の目印と、前記非空白の目印が一巡する都度、前記組み合わせの１つに対応する空白の目印と、を備える請求項１に記載のショーケース。
【請求項３】
前記標識部は、前記前仕切棒支持孔より前側に設けられる前標識部と、前記後仕切棒支持孔より後ろ側に設けられる後標識部と、を備える請求項１または２に記載のショーケース。
【請求項４】
前記仕切棒の後端部には、折り返して前方へ延びるＵ字形またはコ字形の鉤部が設けられ、
前記後仕切棒支持部は、前記鉤部の根元を下方から支えるＵ字形状の切欠溝と、前記鉤部の先端部を挿抜可能な前記後仕切棒支持孔と、前記切欠溝に連続して後方へ延び、前記鉤部の先端部を前記後仕切棒支持孔へ挿入する際に、前記鉤部を案内する案内細隙と、を有する請求項１から３のいずれか１項に記載のショーケース。
【請求項５】
前記後仕切棒支持部は、前記案内細隙の後端を閉じて前記後仕切棒支持部の後縁に沿って延びるフランジ部を備え、
前記標識部のうち前記後仕切棒支持孔を識別する後標識部は、前記フランジ部に設けられている請求項４に記載のショーケース。
【請求項６】
前記仕切棒の前端部は、前記ガイド空間を仕切る中間部に対して鈍角をなして下方へ折れ曲がる請求項１から５のいずれか１項に記載のショーケース。
【請求項７】
前記前仕切棒支持部は、前記複数の前仕切棒支持孔を有する平板部を備え、
前記前標識部は、前記平板部に設けられている請求項３に記載のショーケース。
【発明の詳細な説明】
【技術分野】
【０００１】
本発明に係る実施形態は、ショーケースに関する。
【背景技術】
【０００２】
棚板の前縁に沿うワイヤ支持フレームと、棚板の後縁に沿う背壁と、ワイヤ支持フレームと背壁との間に架け渡されて陳列商品を棚板上に整列させる仕切ワイヤと、を備えるショーケースが知られている。
【０００３】
仕切ワイヤの前端にはＬ字形のフック部が設けられ、仕切ワイヤの後端にはコ字形のフック部が設けられている。ワイヤ支持フレームは、Ｌ字形フック部を上方から差し込まれる複数のワイヤ支持穴を有している。背壁は、仕切ワイヤを下方から保持するＵ字状の複数の切欠溝を有している。
【０００４】
これら複数のワイヤ支持穴および複数の切欠溝は、棚板の幅方向へ横ならびに並んでいる。
【先行技術文献】
【特許文献】
【０００５】
【特許文献１】特開２００８−１０４５１０号公報
【発明の概要】
【発明が解決しようとする課題】
【０００６】
従来のショーケースは、横ならびに並ぶ複数のワイヤ支持穴と、横ならびに並ぶ複数の切欠溝とを有している。これら複数のワイヤ支持穴および複数の切欠溝には、仕切ワイヤを架け渡すために対をなす正しい組み合わせが定められている。
【０００７】
ところで、ワイヤ支持穴および切欠溝は、棚板の幅一杯に渡って多数、設けられている。また、ワイヤ支持フレームと背壁は、多数の陳列商品を並べることが可能な、相応の距離を隔てて離れている。
【０００８】
そのため、仕切ワイヤを架け渡すために対をなすワイヤ支持穴と切欠溝との正しい組み合わせを、容易に識別することが難しい。換言すると、従来のショーケースは、仕切ワイヤを架け渡す際の利便性に、改善の余地があった。
【０００９】
また、仕切ワイヤを架け渡す、ワイヤ支持穴と切欠溝との組み合わせの識別を誤ると、陳列商品が整然と整列せず、陳列商品の列の美観が損なわれる。
【００１０】
そこで、本発明は、仕切ワイヤを正しい位置に容易に架け渡すことが可能であって、利便性に優れたショーケースを提案する。
【課題を解決するための手段】
【００１１】
前記の課題を解決するため本発明の実施形態に係るショーケースは、正面が開放された商品陳列室を有する本体と、前記商品陳列室内に設けられる商品陳列棚と、を備え、前記商品陳列棚は、棚板と、前記棚板の前縁に沿って設けられ、かつ複数の前仕切棒支持孔を有する前仕切棒支持部と、前記棚板の後縁に沿って設けられ、かつ複数の後仕切棒支持孔を有する後仕切棒支持部と、前記前仕切棒支持孔に挿抜可能な前端部と、前記後仕切棒支持孔に挿抜可能な後端部と、を有し、前記前仕切棒支持部と前記後仕切棒支持部との間に架設されて前記棚板上に陳列商品を整列させる仕切棒と、前記複数の前仕切棒支持孔および前記複数の後仕切棒支持孔から前記仕切棒を架設するために対をなす前記前仕切棒支持孔と前記後仕切棒支持孔との組み合わせを識別可能な標識部と、を備えている。
【図面の簡単な説明】
【００１２】
【図１】本発明の実施形態に係るショーケースの斜視図。
【図２】本発明の実施形態に係るショーケースを右側面から示す部分断面図。
【図３】本発明の実施形態に係るショーケースの陳列棚の斜視図。
【図４】本発明の実施形態に係るショーケースの陳列棚の縦断面図。
【図５】本発明の実施形態に係るショーケースの陳列棚の後ろ側の部分的な拡大斜視図。
【図６】本発明の実施形態に係るショーケースの陳列棚の前側の部分的な拡大斜視図。
【図７】本発明の実施形態に係るショーケースの収納箱の縦断面図。
【図８】本発明のその他の実施形態に係るショーケースの収納箱の縦断面図。
【図９】本発明のその他の実施形態に係るショーケースの収納箱の縦断面図。
【発明を実施するための形態】
【００１３】
本発明に係るショーケースの実施形態について図１から図７を参照して説明する。なお、複数の図面中、同一または相当する構成には同一の符号が付されている。
【００１４】
図１は、本発明の実施形態に係るショーケースの斜視図である。
【００１５】
図２は、本発明の実施形態に係るショーケースを右側面から示す部分断面図である。
【００１６】
図１に示すように、本実施形態に係るショーケース１は、例えばスーパーマーケット、およびコンビニエンスストアを含む店舗内に据え付けて用いられる。ショーケース１は、前面開口型の冷蔵ショーケースである。
【００１７】
なお、図１のＸ方向はショーケース１の左右方向（幅方向）、Ｙ１はショーケース１の前方、Ｙ２はショーケース１の後方、Ｚ１はショーケース１の鉛直上方、Ｚ２はショーケース１の鉛直下方である。ショーケース１の各部における方向の説明は、これに準じる。
【００１８】
ショーケース１は、正面が開放された商品陳列室２を画定する本体５と、商品陳列室２内に設けられる複数の商品陳列棚６（以下、単に「陳列棚６」と言う。）と、を備えている。ショーケース１は、本体５の背面を店舗の内壁に対向させ、商品陳列室２の正面の開口を店舗の内側へ向けて店舗内に配置される。
【００１９】
ショーケース１は、左右方向へ並ぶ複数、例えば２つの本体５を備えていても良い。換言すると、ショーケース１は、少なくとも１つの本体５を備えていれば良い。複数の本体５を並べる場合には、隣り合う一対の本体５は、連結される。
【００２０】
本体５は、断熱性を有している。本体５は、商品陳列室２と、商品陳列室２の左右それぞれの側方に設けられる側板１１と、商品陳列室２の上方、下方、および後方に配置される断熱壁１２と、基台１３と、を備えている。
【００２１】
商品陳列室２は、商品陳列室２の上面を画定する天板１５と、商品陳列室２の背面を画定する背板１６と、商品陳列室２の下面を画定する底板１７と、を備えている。換言すると、天板１５、背板１６、および底板１７は、商品陳列室２の上面、背面、および下面を覆っている。天板１５、背板１６、および底板１７は、連続している。
【００２２】
背板１６は、上下方向に延び、かつ上方に向かうにしたがって後方側に傾斜している。背板１６の左右それぞれの端には、上下方向に延びる支柱部１８が設けられている。それぞれの支柱部１８は、上下方向に間隔を隔てて配置された複数の棚支持孔（図示省略）を有している。
【００２３】
左右それぞれの側板１１は、商品陳列室２の左右それぞれの側面を画定している。換言すると、左右それぞれの側板１１は、商品陳列室２とショーケース１の左右それぞれの外側の空間とを仕切っている。側板１１は、前方側が切欠かれた略Ｃ字形を有する断熱板２１と、断熱板２１の切欠き部分に取り付けられた窓部２２と、を備えている。窓部２２は、ガラスやアクリルなどの透明な板状の部材である。窓部２２を介してショーケース１の左右それぞれの側方から商品陳列室２を視認することができる。
【００２４】
なお、複数の本体５を並べる場合には、隣り合う２つの本体５の間には陳列室仕切板２３が設けられる。陳列室仕切板２３は設けられていなくても良い。この場合には、複数の商品陳列室２が左右方向に繋がる。
【００２５】
断熱壁１２は、上下方向に延びる背部断熱壁１２ａと、背部断熱壁１２ａの上端部から前方に延びる上部断熱壁１２ｂと、背部断熱壁１２ａの下端部から前方へ延びる下部断熱壁１２ｃと、を有している。つまり、断熱壁１２は、前方へ開放される略Ｃ字形を有して、商品陳列室２を後方から囲んでいる。
【００２６】
底板１７と下部断熱壁１２ｃとの間には下部ダクトＤ１が区画されている。背板１６と背部断熱壁１２ａとの間には背部ダクトＤ２が区画されている。天板１５と上部断熱壁１２ｂとの間には上部ダクトＤ３が区画されている。下部ダクトＤ１、背部ダクトＤ２、上部ダクトＤ３は、連続してつながっている。下部ダクトＤ１、背部ダクトＤ２、上部ダクトＤ３は、商品陳列室２へ冷気を送る気流循環流路に含まれている。
【００２７】
下部ダクトＤ１は、気流を吸い込む吸込口２５につながっている。吸込口２５は、基台１３の前縁部に配置され、上方へ向かって開口されている。吸込口２５には、塵埃や落下物が下部ダクトＤ１内へ侵入することを防ぐ吸込口カバー（図示省略）が設けられている。吸込口カバーは、板材と、網目状の部材または格子状の部材と、を組み合わせたものが好ましい。
【００２８】
下部ダクトＤ１は、ダクト内仕切板２６で前後方向に仕切られている。ダクト内仕切板２６の中央付近には、孔部（図示省略）が設けられている。ダクト内仕切板２６には、孔部を介して冷気を送風する送風機２７が設けられている。
【００２９】
下部ダクトＤ１と背部ダクトＤ２との合流部には、冷却器２８が設けられている。冷却器２８の近傍には、弁装置（図示省略）が設けられている。冷却器２８および弁装置は、ショーケース１の外部に設けられた、冷凍回路（図示省略）に接続されている。この冷凍回路は、圧縮機や凝縮器を備えている。冷却器２８には、冷凍回路により冷却された冷媒が流れる。
【００３０】
上部ダクトＤ３は、気流を吹き出す吹出口２９につながっている。吹出口２９は、天板１５の前端部に設けられている。吹出口２９は、上部ダクトＤ３を流通した気流を下方へ吹き出させる。吹出口２９には下方に向かう気流を整流する整流部材２９ａが設けられている。整流部材２９ａは、多数の通風路を有するハニカム状の部材である。
【００３１】
基台１３は、断熱壁１２の下方に配置されて、断熱壁１２を支持している。基台１３には、後述する陳列棚６の仕切棒を収納する収納箱３１が設けられている。
【００３２】
複数の陳列棚６は、商品陳列室２の上下方向に間隔を空けて配列されている。それぞれの陳列棚６の後端には、フック３３が設けられている。陳列棚６は、フック３３を引っ掛ける支柱部１８の棚支持孔を変えることによって、商品陳列室２における上下方向の位置を変更できる。
【００３３】
次いで、陳列棚６について、詳細に説明する。
【００３４】
図３は、本発明の実施形態に係るショーケースの陳列棚の斜視図である。
【００３５】
図３に示すように、本実施形態に係るショーケース１の陳列棚６は、左右対称な一対の支持部材４１と、一対の支持部材４１に支持される棚板４２と、棚板４２の前縁に沿って設けられる前仕切棒支持部４５と、棚板４２の後縁に沿って設けられる後仕切棒支持部４６と、前仕切棒支持部４５と後仕切棒支持部４６との間に架設されて棚板４２上に陳列商品を整列させるガイド空間４７を仕切る仕切棒４８と、を備えている。
【００３６】
棚板４２は、商品陳列室２の奥側（後ろ側）よりも商品陳列室２の前側が下方になるよう、前下がりに傾斜している。この傾斜は、棚板４２上の陳列商品を、ガイド空間４７の前側へ詰めた状態で整列させる。
【００３７】
棚板４２の前方、かつ前仕切棒支持部４５の前方には、前部衝立５１ａが設けられ、棚板４２の左右それぞれの側方には、側部衝立５１ｂが設けられている。前部衝立５１ａおよび側部衝立５１ｂは、棚板４２上の陳列商品の落下を防止する。前部衝立５１ａは、例えばアクリル板のように、透明であることが好ましい。透明な前部衝立５１ａは、陳列商品の視認性を損なうことなく、棚板４２上の陳列商品の落下を防止できる。なお、前部衝立５１ａは透明なアクリル板の他にも、商品情報を記載した平板等であってもよい。
【００３８】
支持部材４１のブラケット５２は、スライドレール機構（図示省略）を介して棚板４２に連結されている。スライドレール機構は、ブラケット５２に固定される固定レールと、固定レールに、前後方向に滑走可能に支持された中間レールと、中間レールに、前後方向に滑走可能に支持された引出レールと、を備えている。引出レールは、棚板４２に連結されている。引出レールの前端部には、ストッパーレバーが設けられている。ストッパーレバーを下方に押すとスライドのロックが解除され、引出レールおよび中間レールの滑走が許可される。
【００３９】
仕切棒４８は、陳列棚６の前後方向に延びている。つまり、仕切棒４８は、陳列棚６の左右方向（幅方向）に区切られたガイド空間４７を区画する。また、仕切棒４８は複数、設けられている。複数の仕切棒４８は、陳列棚６の左右方向に並ぶ複数のガイド空間４７を区画する。陳列商品は、このガイド空間４７に縦列に陳列される。
【００４０】
図４は、本発明の実施形態に係るショーケースの陳列棚の縦断面図である。図４は、仕切棒４８の中心を通る断面である。
【００４１】
図４に示すように、本実施形態に係るショーケース１の陳列棚６は、切欠き状または貫通孔として形成された前仕切棒支持孔５５を有する前仕切棒支持部４５と、後仕切棒支持孔５６を有する後仕切棒支持部４６と、仕切棒４８と、を備えている。
【００４２】
仕切棒４８は、実質的に一様な太さ（線径）を有する棒材（ワイヤ）の曲げ加工品である。仕切棒４８は、前仕切棒支持孔５５に挿抜可能な前端部４８ａと、後仕切棒支持孔５６に挿抜可能な後端部４８ｂと、前端部４８ａと後端部４８ｂとを繋ぐ中間部４８ｃと、を備えている。
【００４３】
中間部４８ｃは、仕切棒４８が陳列棚６に装着された状態で、棚板４２の上方に配置され、かつ棚板４２に対して実質的に平行に延びている。中間部４８ｃは、棚板４２にガイド空間４７を仕切っている。
【００４４】
後端部４８ｂには、折り返して前方へ延びるＵ字形またはコ字形の鉤部５７が設けられている。
【００４５】
前端部４８ａは、中間部４８ｃとの間に鈍角をなして下方へ折れ曲がっている。なお、前端部４８ａと中間部４８ｃとのなす角度は、概ね１００°以上、１４０°以下であることが好ましく、本実施形態では１２０°である。中間部４８ｃの延び方向に直交する方向において、前端部４８ａの先端（つまり仕切棒４８の前端）は、鉤部５７の先端（つまり仕切棒４８の後端）よりも中間部４８ｃから遠い。
【００４６】
折り曲げられた前端部４８ａおよび後端部４８ｂの鉤部５７は、同一平面内に含まれている。
【００４７】
前仕切棒支持孔５５は複数あって、陳列棚の左右方向に、実質的に等間隔に並んでいる。後仕切棒支持孔５６も複数あって、陳列棚の左右方向に、実質的に等間隔に並んでいる。
【００４８】
複数の前仕切棒支持孔５５および複数の後仕切棒支持孔５６には、仕切棒４８を架設するために対をなす組み合わせＣｏが含まれている。つまり、図４に示される前仕切棒支持孔５５および後仕切棒支持孔５６は、仕切棒４８を架設するために対をなす組み合わせＣｏである。なお、仕切棒４８を架設するために対をなす前仕切棒支持孔５５および後仕切棒支持孔５６の組み合わせＣｏを、以下、単に「支持孔対Ｃｏ」と言う。支持孔対Ｃｏは、陳列棚６の前後方向に沿って前後に並んでいる。
【００４９】
図５は、本発明の実施形態に係るショーケースの陳列棚の後ろ側の部分的な拡大斜視図である。
【００５０】
図４に加えて、図５に示すように、本実施形態に係るショーケース１の陳列棚６の後仕切棒支持部４６は、棚板４２の後縁に連接している。後仕切棒支持部４６は、一様な厚みを有し、階段状に立ち上げられた板材である。後仕切棒支持部４６は、棚板４２の後縁に連接し、かつ棚板４２の上方へ立ち上がる第一板部４６ａと、第一板部４６ａの上縁に連接して陳列棚６の後方（奥側）へ延びる第二板部４６ｂと、第二板部４６ｂの後縁に連接して陳列棚６の上方へ立ち上がる第三板部４６ｃと、を備えている。第一板部４６ａ、第二板部４６ｂ、および第三板部４６ｃは、棚板４２と同じ幅寸法（陳列棚６の左右方向における寸法）を有している。
【００５１】
また、後仕切棒支持部４６は、仕切棒４８の鉤部５７の根元を下方から支えるＵ字形状の切欠溝６１と、鉤部５７の先端部を挿抜可能な後仕切棒支持孔５６と、切欠溝６１に連続して後方へ延び、鉤部５７の先端部を後仕切棒支持孔５６へ挿入する際に、鉤部５７を案内する案内細隙６２と、を備えている。
【００５２】
切欠溝６１は、第一板部４６ａの上縁に設けられている。後仕切棒支持孔５６は、第一板部４６ａの上下方向における中途部位に設けられている。
【００５３】
案内細隙６２は、第二板部４６ｂの前縁、つまり第一板部４６ａと第二板部４６ｂとの連接部位から第二板部４６ｂの後縁、つまり第二板部４６ｂと第三板部４６ｃとの連接部位に渡って延び、かつ切欠溝６１に繋がっている。案内細隙６２は、陳列棚６の前後方向に沿って延びている。
【００５４】
案内細隙６２の溝幅、つまり切欠溝６１の弧の長さは、仕切棒４８の線径よりも大きい。案内細隙６２の長さ（奥行き）は、仕切棒４８の鉤部５７の折り返し長さよりも長い。
【００５５】
第三板部４６ｃは、案内細隙６２の後端を閉じて後仕切棒支持部４６の後縁に沿って延びるフランジ部６３である。フランジ部６３の下端部には、案内細隙６２に繋がるＵ字形状の第二切欠溝６５が設けられている。
【００５６】
そして、切欠溝６１、後仕切棒支持孔５６、案内細隙６２、および第二切欠溝６５は、陳列棚６の前後方向に沿って並んでいる。切欠溝６１、後仕切棒支持孔５６、案内細隙６２、および第二切欠溝６５は、それぞれ複数あって、陳列棚６の左右方向に、実質的に等間隔に並んでいる。
【００５７】
図６は、本発明の実施形態に係るショーケースの陳列棚の前側の部分的な拡大斜視図である。
【００５８】
図４に加えて、図６に示すように、本実施形態に係るショーケース１の陳列棚６の前仕切棒支持部４５は、複数の前仕切棒支持孔５５を有する平板部７１を備えている。
【００５９】
本実施形態に係るショーケース１の陳列棚６の前仕切棒支持部４５は、棚板４２の前縁に連接している。前仕切棒支持部４５は、コ字形、Ｕ字形、またはＣ字形に曲げられ、その開放断面を下方へ向けた、一様な厚みの板材である。前仕切棒支持部４５は、棚板４２の前縁に連接し、かつ棚板４２に平行または面一な平板部７１と、平板部７１の前縁から垂れ下がる前垂下板部７２と、平板部７１の後縁から垂れ下がる後垂下板部７３と、を備えている。平板部７１、前垂下板部７２、および後垂下板部７３は、棚板４２と同じ幅寸法（陳列棚６の左右方向における寸法）を有している。
【００６０】
平板部７１には、複数の前仕切棒支持孔５５が設けられている。前仕切棒支持孔５５は、コ字形、Ｕ字形、またはＣ字形の前仕切棒支持部４５の内側の空間に通じている。
【００６１】
図５および図６に示すように、本実施形態に係るショーケース１は、陳列棚６の左右方向に並ぶ複数の支持孔対Ｃｏを備えている。複数の支持孔対Ｃｏは、例えば仕切棒４８の線径よりも小さい間隔を開けて、実質的に等間隔に並んでいる。そのため、仕切棒４８は、陳列商品の大きさ（サイズ、寸法）に好適なガイド空間４７の区画に応じることができる。
【００６２】
図４から図６に示すように、本実施形態に係るショーケース１の仕切棒４８は、切欠溝６１に嵌め込まれた鉤部５７の根元、案内細隙６２を経て第一板部４６ａの背面を迂回する鉤部５７の折り返し部分、および第一板部４６ａの背面から正面へ向かって後仕切棒支持孔５６に差し込まれた鉤部５７の先端部分によって、陳列棚６に装着されている。
【００６３】
また、仕切棒４８は、前仕切棒支持孔５５に差し込まれて前仕切棒支持部４５の内側の空間に挿入された前端部４８ａによって、陳列棚６に装着されている。
【００６４】
後仕切棒支持部４６は、前仕切棒支持部４５よりも上方に配置されている。換言すると、後仕切棒支持部４６の切欠溝６１、案内細隙６２、および後仕切棒支持孔５６は、前仕切棒支持部４５の前仕切棒支持孔５５よりも上方に配置されている。
【００６５】
そして、商品陳列室２の奥側（後ろ側）に位置する後仕切棒支持部４６へ鉤部５７を送り込み、鉤部５７の先端部分、および折り返し部分を案内細隙６２から第一板部４６ａの背面側へ降ろし、仕切棒４８を手前に引き戻して（つまり、ショーケース１の正面方向へ引き戻して）鉤部５７の先端部分を後仕切棒支持孔５６に差し込み、さらに、前端部４８ａを前仕切棒支持孔５５に差し込むことによって、仕切棒４８は、陳列棚６に装着される。このとき、商品陳列室２の奥側にある後仕切棒支持部４６が、商品陳列室２の前側にある前仕切棒支持部４５よりも上方に位置するため、一連の装着作業を円滑に進めることができる。また、案内細隙６２は、仕切棒４８を手前に引き戻す際に、鉤部５７の先端部分を後仕切棒支持孔５６へ送り込む、ガイドの役割を担う。
【００６６】
ところで、複数の支持孔対Ｃｏは、例えば仕切棒４８の線径よりも小さい間隔で並んでおり、正しい組み合わせの支持孔対Ｃｏを見誤り易い。つまり、前仕切棒支持孔５５と後仕切棒支持孔５６との組み合わせを誤って、仕切棒４８を装着してしまう虞がある。換言すると、対をなさない前仕切棒支持孔５５と後仕切棒支持孔５６とを組み合わせて仕切棒４８を装着してしまう虞がある。このように、支持孔対Ｃｏを誤って仕切棒４８を装着すると、仕切棒４８は、陳列棚６の前後に沿って延びる線分に対して傾いてしまう。仕切棒４８が前後方向において傾いて装着されれば、ガイド空間４７は歪んでしまい、陳列棚６上のスペース効率が悪化し、陳列商品のなす列の美観を損なう。また、このような装着の誤りや、装着の誤りを正すための作業は、作業効率を低下させて生産性を損なわせる。
【００６７】
そこで、図５および図６に示すように、本実施形態に係るショーケース１の陳列棚６は、複数の前仕切棒支持孔５５および複数の後仕切棒支持孔５６から仕切棒４８を架設するために対をなす前仕切棒支持孔５５と後仕切棒支持孔５６との組み合わせを識別可能な標識部７５を備えている。
【００６８】
標識部７５は、支持孔対Ｃｏ毎、つまり前仕切棒支持孔５５と後仕切棒支持孔５６との組み合わせ毎に所定の順序で繰り返す複数の非空白の目印７６と、非空白の目印７６が一巡する都度、支持孔対Ｃｏの１つに対応する空白の目印７７と、を備えている。図５および図６の例では、陳列棚６の右から左に向かって、１つの孔、２つの孔、および３つの孔の順序で非空白の目印７６が一巡し、次いで、空白の目印７７が並び、これを繰り返す。
【００６９】
また、標識部７５は、前仕切棒支持孔５５を識別する前標識部７５ｆ（図６）と、後仕切棒支持孔５６を識別する後標識部７５ｂ（図５）と、を有している。前標識部７５ｆは、前仕切棒支持孔５５より前側に設けられている。後標識部７５ｂは、後仕切棒支持孔５６より後ろ側に設けられている。
【００７０】
後標識部７５ｂは、後仕切棒支持部４６のフランジ部６３、つまり第三板部４６ｃに設けられている。後標識部７５ｂは、切欠溝６１、後仕切棒支持孔５６、案内細隙６２、および第二切欠溝６５よりも上方に設けられている。例えば、後標識部７５ｂの非空白の目印７６は、フランジ部６３を貫通する孔の数量の違いで対応する後仕切棒支持孔５６を識別可能にする。空白の目印７７は、その左右に並ぶ非空白の目印７６との差異によって、対応する後仕切棒支持孔５６を識別可能にする。
【００７１】
前標識部７５ｆは、前仕切棒支持部４５の平板部７１に設けられている。つまり、前標識部７５ｆは、前仕切棒支持孔５５と同一の面に設けられている。例えば、前標識部７５ｆの非空白の目印７６は、平板部７１を貫通する孔または刻印された点の数量の違いで対応する前仕切棒支持孔５５を識別可能にする。空白の目印７７は、その左右に並ぶ非空白の目印７６との差異によって、対応する前仕切棒支持孔５５を識別可能にする。
【００７２】
なお、支持孔対Ｃｏをなす前仕切棒支持孔５５と後仕切棒支持孔５６とには、同じ目印（非空白の目印７６、または空白の目印７７）が付されている。例えば、１つの孔で識別される前仕切棒支持孔５５と対をなす後仕切棒支持孔５６は、１つの孔で識別される。空白の目印７７で識別される前仕切棒支持孔５５と対をなす後仕切棒支持孔５６は、空白の目印７７で識別される。
【００７３】
非空白の目印７６は、少なくとも２以上並び、かつ一般的な陳列商品の幅寸法より狭い間隔で終える数量、例えば１０以下で一巡することが好ましい。本実施形態においては、非空白の目印７６は、３つで一巡する。非空白の目印７６が一巡する数量を適切な範囲に設定することで、空白の目印７７を区切りにしつつ、標識部７５全体の識別性を高め、仕切棒４８の装着の誤りを確実に防ぐことができる。
【００７４】
図７は、本発明の実施形態に係るショーケースの収納箱の縦断面図である。
【００７５】
図７に示すように、本実施形態に係るショーケース１の収納箱３１は、陳列棚６から取り外された仕切棒４８、または予備の仕切棒４８を収納する。収納箱３１は、箱本体部８１と、例えば取外しにより開閉可能または蝶番で箱本体部８１につながれて開閉可能な蓋部８２と、箱本体部８１内に設けられる仕切棒保持板８３と、を備えている。
【００７６】
仕切棒保持板８３は、箱本体部８１の底板に対して平行に配置されている。仕切棒保持板８３と箱本体部８１の底板との間には、仕切棒４８の中間部４８ｃを仕切棒保持板８３に沿わせた状態で、仕切棒４８の前端部４８ａおよび後端部４８ｂが箱本体部８１の底板に接しないよう、間隔が開けられている。
【００７７】
仕切棒４８の重心は、折り曲げられた前端部４８ａおよび鉤部５７を有する後端部４８ｂによって中間部４８ｃの線上から前端部４８ａの先端および鉤部５７の先端の方へずれている。そのため、仕切棒４８は、中間部４８ｃを仕切棒保持板８３で支えることで、折り曲げられた前端部４８ａおよび鉤部５７を下方へ垂下させた姿勢で安定して収納される。また、複数の仕切棒４８を、同じ姿勢で横ならびに整列させて整然と収納できる。
【００７８】
ここで、仕切棒保持板８３は、箱本体部８１に固定されていても良いし、箱本体部８１から取り外し可能であっても良い。仕切棒４８を収納または取り出しする際に仕切棒保持板８３を取り外して、仕切棒４８の収納または取り出しを行ってもよい。
【００７９】
また、図８に示すように、収納箱３１Ａは、仕切棒保持板８３を揺動可能に支持するヒンジ機構を有していても良い。ヒンジ機構は、仕切棒保持板８３の一方の端部に設けられて、他方の端部を箱本体部８１を持ち上げることが可能なように仕切棒保持板８３を支持する。仕切棒保持板８３の他端側を持上げつつ、仕切棒保持板８３の他端側に仕切棒４８の鉤部５７を引っ掛けた後に、他端側を押し戻すことで、容易に収納作業を完了することができる。
【００８０】
さらに、図９に示すように、収納箱３１Ｂは、収納箱３１の上下方向に並ぶスク数の仕切棒保持板８３を備えていても良い。また、上下に設けられた複数の仕切棒保持板８３には、仕切棒４８の前端部４８ａと後端部４８ｂとを互い違いに配置することもできる。さらに、複数の仕切棒保持板８３は、例えば仕切棒４８の長手方向に交差する方向へスライド可能であっても良いし、箱本体部８１から取外し可能であっても良い。このような構成の収容箱３１Ｂは、高いスペース効率を有し、収納作業も容易である。
【００８１】
以上のように、本実施形態に係るショーケース１は、複数の前仕切棒支持孔５５および複数の後仕切棒支持孔５６から仕切棒４８を架設するために対をなす前仕切棒支持孔５５と後仕切棒支持孔５６との支持孔対Ｃｏを識別可能な標識部７５を備えている。そのため、ショーケース１は、陳列棚６に仕切棒４８を装着する際に、装着の誤りを防ぎ、正しい装着位置を容易に選択させることができる。また、ショーケース１は、仕切棒４８の装着の誤りや、装着の誤りを正すための作業を排除し、生産性を高める。
【００８２】
また、本実施形態に係るショーケース１は、支持孔対Ｃｏ毎に所定の順序で繰り返す複数の非空白の目印７６と、非空白の目印７６が一巡する都度、支持孔対Ｃｏの１つに対応する空白の目印７７と、を備えている。このように繰り返す標識部７５は、非空白の目印７６の連続数、本実施形態では例えば３と仕切棒４８の線径との積で求まる幅寸法に含まれる複数の支持孔対Ｃｏを見定め、次いで、仕切棒４８を装着する目当ての支持孔対Ｃｏを特定できる。そのため、ショーケース１は、陳列棚６に仕切棒４８を装着する際に、正しい装着位置を極めて容易に選択させることができる。
【００８３】
さらに、本実施形態に係るショーケース１は、前仕切棒支持孔５５より前側に設けられる前標識部７５ｆと、後仕切棒支持孔５６より後ろ側に設けられる後標識部７５ｂと、を備えている。そのため、ショーケース１は、仕切棒４８の装着時にあっても、標識部７５の視認性を損なうことなく、正しい装着位置を把握させることができる。後標識部７５ｂは、切欠溝６１、後仕切棒支持孔５６、案内細隙６２、および第二切欠溝６５よりも上方に設けられ、前標識部７５ｆは、前仕切棒支持孔５５と同一の面に設けられているため、さらに視認性が高い。
【００８４】
また、本実施形態に係るショーケース１は、仕切棒４８の鉤部５７と、後仕切棒支持部４６の切欠溝６１、後仕切棒支持孔５６、および案内細隙６２と、を備えている。そのため、ショーケース１は、案内細隙６２をガイドにして仕切棒４８の後端を後仕切棒支持部４６に円滑に装着できる。
【００８５】
さらに、本実施形態に係るショーケース１は、後仕切棒支持部４６のフランジ部６３に設けられる後標識部７５ｂを備えている。つまり、商品陳列室２の奥側に位置する後標識部７５ｂは、商品陳列室２の正面開口を臨む面を有するフランジ部６３に設けられている。そのため、ショーケース１は、後標識部７５ｂの視認性をより向上させ、陳列棚６に仕切棒４８を装着する際に、正しい装着位置を極めて容易に選択させることができる。
【００８６】
また、本実施形態に係るショーケース１は、ガイド空間４７を仕切る中間部４８ｃに対して鈍角をなして下方へ折れ曲がる前端部４８ａを有する仕切棒４８を備えており、このような仕切棒４８は、ガイド空間４７の最前列に並ぶ商品を上方に引き上げて取り出す際に、商品が仕切棒４８に引っ掛かって仕切棒４８が前仕切棒支持孔５５から不意に抜け出してしまうことを防ぐことができる。つまり、ショーケース１は、商品の取り出しに影響されずに、ガイド空間４７を確実に仕切っておくことができる。また、前端部４８ａと中間部４８ｃとのなす角度を１００°以上、１４０°以下に設定することで、陳列棚６への取付けまたは取外しの作業がより容易となる。具体的には、陳列棚６へ支持棒４８を取付けまたは取り外す作業を行う際に、支持棒４８の鉤部５７を後仕切棒支持部４６の後端支持孔５６に挿通させるための前後方向の動作に合わせて、支持棒４８の前端部４８ａを前仕切棒支持孔５５へ挿抜させることが容易になる。
【００８７】
さらに、本実施形態に係るショーケース１は、前仕切棒支持部４５の平板部７１に設けられる前標識部７５ｆを備えている。つまり、商品陳列室２の前側に位置する前標識部７５ｆは、商品陳列室２の正面開口近傍において上方を臨む面を有する平板部７１に設けられている。そのため、ショーケース１は、前標識部７５ｆの視認性をより向上させ、陳列棚６に仕切棒４８を装着する際に、正しい装着位置を極めて容易に選択させることができる。
【００８８】
したがって、本実施形態に係るショーケース１は、仕切棒４８を正しい位置に容易に架け渡すことが可能であって、利便性に優れている。
【００８９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９０】
１…ショーケース、２…商品陳列室、５…本体、６…陳列棚、１１…側板、１２…断熱壁、１２ａ…背部断熱壁、１２ｂ…上部断熱壁、１２ｃ…下部断熱壁、１３…基台、１５…天板、１６…背板、１７…底板、１８…支柱部、２１…断熱板、２２…窓部、２３…陳列室仕切板、２５…吸込口、２６…ダクト内仕切板、２７…送風機、２８…冷却器、２９…吹出口、２９ａ…整流部材、３１…収納箱、３３…フック、４１…支持部材、４２…棚板、４５…前仕切棒支持部、４６…後仕切棒支持部、４６ａ…第一板部、４６ｂ…第二板部、４６ｃ…第三板部、４７…ガイド空間、４８…仕切棒、４８ａ…前端部、４８ｂ…後端部、４８ｃ…中間部、５１ａ…前部衝立、５１ｂ…側部衝立、５２…ブラケット、５５…前仕切棒支持孔、５６…後仕切棒支持孔、５７…鉤部、６１…切欠溝、６２…案内細隙、６３…フランジ部、６５…第二切欠溝、７１…平板部、７２…前垂下板部、７３…後垂下板部、７５…標識部、７５ｆ…前標識部、７５ｂ…後標識部、７６…非空白の目印、７７…空白の目印、８１…箱本体部、８２…蓋部、８３…仕切棒保持板。
【図１】
2020137623.tif 000003
【図２】
2020137623.tif 000004
【図３】
2020137623.tif 000005
【図４】
2020137623.tif 000006
【図５】
2020137623.tif 000007
【図６】
2020137623.tif 000008
【図７】
2020137623.tif 000009
【図８】
2020137623.tif 000010
【図９】
2020137623.tif 000011